(57)【要約】
【課題】　光に集まる虫を効率よく捕獲するとともに、扇風機や空調機などからの風であおられて照明器具６０に貼着するおそれの少ない照明器具用虫取器を提供すること。
【解決手段】　切込２２、３９の係合、係止で十文字形状に連結された縦方向矩形板２０と横方向矩形板３０の表面に、虫を粘着するための粘着剤４０を塗布し、横方向矩形板３０の上部に吊り下げ用の係止孔４５を形成し、縦方向矩形板２０、横方向矩形板３０の下部に虫受片２８〜２８、３８，３８を突設する。
【選択図】　図１
0003100177.tif 000002
【実用新案登録請求の範囲】
【請求項１】
　照明器具（６０）の下に吊り下げられる虫取器であって、照明器具（６０）側から見た平面視が十文字形状となるように配設された４枚の透明な矩形板（２０Ａ，２０Ａ，３０Ａ，３０Ａ、８０〜８０）を有する十文字体（１０）と、矩形板（２０Ａ，２０Ａ，３０Ａ，３０Ａ、８０〜８０）の表面に塗布された白色系明色の粘着剤（４０、７７）とを具備し、十文字体（１０）の上部に吊下具（５０）を係止する係止孔（４５、７６）を形成し、矩形板（２０Ａ，２０Ａ，３０Ａ，３０Ａ、８０〜８０）の板面を虫取器の吊り下げ方向と平行に配置し、十文字体（１０）の下部に、矩形板（２０Ａ，２０Ａ，３０Ａ，３０Ａ、８０〜８０）の板面に垂直な方向に突出する虫受片（２８〜２８，３８，３８、７４〜７４）が形成されていることを特徴とする照明器具用虫取器。
【請求項２】
十文字体（１０）は、中央部に形成された切込（２２）、（３９）の係合、係止で十文字形状に連結された透明な縦方向矩形板（２０）と横方向矩形板（３０）からなり、縦方向矩形板（２０）、横方向矩形板（３０）の切込（２２）、（３９）を挟んだ両側を矩形板（２０Ａ、２０Ａ）、（３０Ａ、３０Ａ）とし、縦方向矩形板（２０）と横方向矩形板（３０）の少なくとも一方の上部に係止孔（４５）を形成し、縦方向矩形板（２０）及び横方向矩形板（３０）の下部に虫受片（２８〜２８）、（３８，３８）を形成したことを特徴とする請求項１記載の照明器具用虫取器。
【請求項３】
　縦方向矩形板（２０）、横方向矩形板（３０）は、透明な矩形薄板（２１）、（３１）を中心線で折り曲げ、重ね合わせ、固着して形成されるとともに、両端部を略直角に折り返して虫受片（２８〜２８）、（３８、３８）が形成され、矩形薄板（２１）、（３１）の一方には、切込形成用長孔（３２）、係止孔（４５）及び虫受片形成用折目線（３４、３４）が形成され、矩形薄板（２１）、（３１）の他方には切込（２２）及び虫受片形成用折目線（２４、２４）が形成されていることを特徴とする請求項２記載の照明器具用虫取器。
【請求項４】
十文字体（１０）は、透明な矩形板受体（７０）と、この矩形板受体（７０）に係脱可能に係合した４枚の矩形板（８０〜８０）とで形成され、矩形板受体（７０）は、照明器具（６０）側から見た平面視が十文字形状となるように連結された４本の長尺状の水平受体（７１〜７１）と、４本の水平受体（７１〜７１）の連結部から上方へ一体に連設された長尺状の垂直受体（７２）とで形成され、各水平受体（７１）の上面と垂直受体（７２）の対応する側面に、対応する矩形板（８０）の辺部を係脱可能に係合する水平係合溝（７３）と垂直係合溝（７５）とを形成し、垂直受体（７２）の上部に吊下具（５０）を係止する係止孔（７６）を形成し、各矩形板（８０）の表面に粘着剤（７７）を塗布し、各水平受体（７１）の縦断面を凸形状に形成して水平突部を虫受片（７４，７４）としたことを特徴とする請求項１記載の照明器具用虫取器。
【考案の詳細な説明】
【技術分野】
【０００１】
　本考案は、照明器具の下に吊り下げて、照明光に集まる虫を粘着剤で捕獲する照明器具用虫取器に関するものである。
【背景技術】
【０００２】
　従来、この種の照明器具用虫取器には、ハエ取りリボンや虫取器などが知られている。
　ハエ取りリボンは、リボンに粘着剤を塗布したものである。
　虫取器は、図１０、図１１に示すように、照明器具１０１の下に吊り下げられた虫取りシート１０３を具備し、このは虫取りシート１０３は透光性のシート材１０５の表面に透光性の粘着剤１０７、１０７を塗布したものである。図１０、図１１において１０９は蛍光灯、１１１は取付具、１１３はクリップ、１１５は樋である。（特許文献１参照）
【特許文献１】実開平２−３１４７４号公報
【考案の開示】
【考案が解決しようとする課題】
【０００３】
　光に集まる虫は、直線的に照明器具に向かって飛ぶのでなく、照明器具の周囲を回転することが多いということが知られている。
　このため、照明器具の近くにハエ取りリボンを吊り下げただけでは、虫の飛ぶ範囲内に位置した部分では捕獲できるが、その他の部分では補角できないという問題点があった。さらに、扇風機や空調器からの風でリボンがあおられて、照明器具に粘着するおそれがあった。
　また、図１０、図１１に示した虫取器では、シート材１０５が水平方向に細長い帯状に形成されているので、ハエ取りリボンより捕獲効率を上げることはできるが、扇風機や空調機からの風であおられて照明器具１０１に粘着するおそれがあった。
【０００４】
　本考案は上述の問題点に鑑みなされたもので、光に集まる虫を効率よく捕獲することができるとともに、扇風機や空調機などからの風であおられて照明器具に粘着するおそれの少ない照明器具用虫取器を提供することを目的とするものである。
【課題を解決するための手段】
【０００５】
　請求項１記載の考案は、照明器具の下に吊り下げられる虫取器であって、照明器具側から見た平面視が十文字形状となるように配設された４枚の透明な矩形板を有する十文字体と、前記矩形板の表面に塗布された白色系の明るい色（以下、白色系明色という。）の粘着剤とを具備し、前記十文字体の上部に吊下具を係止する係止孔を形成し、前記矩形板の板面を前記虫取器の吊り下げ方向と平行に配置し、前記十文字体の下部に、前記矩形板の板面に垂直な方向に突出する虫受片が形成されていることを特徴とする。
【０００６】
　上述の構成において、照明器具の光に誘われてその周囲を飛び回る虫は、照明器具の下に吊り下げられた４枚の矩形板に塗布された粘着剤に衝突して捕獲される。
　また、捕獲された虫が重力で垂れ下がってくると、虫受片で受け止められる。
【０００７】
　請求項２記載の考案は、請求項１記載の考案において、虫取器の製作を容易にするために、十文字体を、中央部に形成された切込の係合、係止で十文字形状に連結される透明な縦方向矩形板と横方向矩形板で形成し、この縦方向矩形板、横方向矩形板の切込を挟んだ両側を表面に粘着剤を塗布する矩形板とし、縦方向矩形板と横方向矩形板の少なくとも一方（例えば横方向矩形板）の上部に係止孔を形成し、縦方向矩形板及び横方向矩形板の下部に虫受片を突設したことを特徴とする。
【０００８】
　請求項３記載の考案は、請求項２記載の考案において、虫取器製作をさらに容易にするために、縦方向矩形板、横方向矩形板のそれぞれが、透明な矩形薄板を中心線で折り曲げ重ね合わせ、固着して形成されるとともに、両端部を略直角に折り返して虫受片とし、前記縦方向用と横方向用の矩形薄板の一方（例えば横方向用の矩形薄板）には、切込形成用長孔、係止孔及び虫受片形成用折目線が形成され、他方（例えば縦方向用の矩形薄板）には、切込及び虫受片形成用折目線が形成されていることを特徴とする。
【０００９】
　請求項４記載の考案は、請求項１記載の考案において、粘着剤の塗布された４枚の矩形板を取替え可能とするために、十文字体を、透明な矩形板受体と、この矩形板受体に係脱可能に係合した４枚の矩形板とで形成し、矩形板受体を、照明器具側から見た平面視が十文字形状となるように連結された４本の長尺状の水平受体と、４本の水平受体の連結部から上方へ一体に連設された長尺状の垂直受体とで形成し、各水平受体の上面と垂直受体の対応する側面とに、対応する矩形板の辺部を係脱可能に係合する水平係合溝と垂直係合溝とを形成し、垂直受体の上部に吊下具を係止する係止孔を形成し、各矩形板の表面に粘着剤を塗布し、水平受体の縦断面を凸形状に形成して水平突部を虫受片としたことを特徴とする。
【考案の効果】
【００１０】
　請求項１記載の考案は、粘着剤が塗布された４枚の矩形板を照明器具側から見た平面視が十文字形状となるように配設し、その板面を吊り下げ方向と平行に配置する構成としたので、照明器具の周囲を飛び回る虫を効率よく捕獲することができるとともに、扇風機や空調機からの風や外部からの風であおられて照明器具に粘着するおそれを少なくすることができる。
　また、虫受片を具備しているので、捕獲した虫が重力で垂れ下がってきても落下するのを防止できる。
　また４枚の矩形板を透明に形成するとともに粘着剤を虫の集まり易い白色系の明るい色で形成したので、虫の捕獲効率を高めるとともに照明器具から出る光の吸収を抑えて所定の明るさを確保することができる。
【００１１】
　請求項２記載の考案は、請求項１記載の考案において、十文字体を縦方向矩形板と横方向矩形板で形成し、この縦方向矩形板、横方向矩形板の切込を挟んだ両側を粘着剤を塗布する矩形板とし、縦方向矩形板と横方向矩形板の少なくとも一方の上部に係止孔を形成し、縦方向矩形板及び横方向矩形板の下部に虫受片を突設する構成としたので、虫取器の製作を容易にすることができる。
【００１２】
　請求項３記載の考案は、請求項２記載の考案において、縦方向矩形板、横方向矩形板のそれぞれを透明な矩形薄板の折り曲げ、重ね合わせ、固着により形成し、両端部を略直角に折り返して虫受片とし、縦方向用と横方向用の矩形薄板の一方に切込形成用長孔、係止孔及び虫受片形成用折目線を形成し、他方に切込及び虫受片形成用折目線を形成する構成としたので、虫取器の製作をさらに容易にすることができる。
【００１３】
　請求項４記載の考案は、請求項１記載の考案において、十文字体を、４本の水平受体と、垂直受体と、これらの受体に形成された水平係合溝及び垂直係合溝に係脱可能に係合する４枚の矩形板とで形成する構成としたので、粘着剤の塗布された４枚の矩形板を適宜取り替えることができる。
【実施例１】
【００１４】
　図１は本考案による照明器具用虫取器の第１実施例を示すものである。
　図１において、１０は十文字体、２０は縦方向矩形板、３０は横方向矩形板、４０は白色、銀白色のような白色系明色の粘着剤４５は係止孔、５０は吊下具、６０は照明器具である。
【００１５】
　縦方向矩形板２０は、図２及び図３に示すような矩形薄板２１の折り曲げ、重ね合わせ及び固着によって形成される。
　矩形薄板２１は、透明なプラスチック薄板の打ち抜きによって矩形状に形成されるとともに、横方向（図２では上下方向）の中央線に沿って端縁側を開口した係合用の切込２２、２２が形成されている。また、矩形薄板２１には、縦方向（図２では左右方向）の中心線に沿って重合用折目線２３が形成されるとともに、端縁近くに位置して重合用折目線２３に平行な虫受片形成用折目線２４、２４が形成されている。
　矩形薄板２１の表面には、図２（ａ）及び図３に示すように、横方向と縦方向の中央線で区分された４領域のそれぞれに粘着剤４０が塗布され、これらの粘着剤４０の上面には粘着剤４０を被覆する剥離紙２５が貼着されている。
　矩形薄板２１の裏面には、図２（ｂ）及び図３に示すように、重ね合わせ時に固着するための接着剤２６Ａ、２６Ａと横方向矩形板３０の虫受片３８と固着するための接着剤２６Ｂ〜２６Ｂとが塗布され、これらの接着剤２６Ａ，２６Ａ、２６Ｂ〜２６Ｂの上面には、接着剤２６Ａ，２６Ａ、２６Ｂ〜２６Ｂを被覆する剥離紙２７Ａ，２７Ａ、２７Ｂ〜２７Ｂが貼着されている。
【００１６】
　そして、矩形薄板２１の裏面側が内側となるように、矩形薄板２１を重合用折目線２３で折り曲げ、剥離紙２７Ａ、２７Ａを剥離して重ね合わせ、接着剤２６Ａ、２６Ａを対応する被接着部に接着して固定する。
　ついで、矩形薄板２１の表面側が内側となるように矩形薄板２１の端部を虫受片形成用折目線２４、２４で略直角に折り曲げ、この折曲片を虫受片２８、２８とし、図６の上部に示すような縦方向矩形板２０が形成される。
　この図６において、縦方向矩形板２０の切込２２を挟んだ両側が、表面に粘着剤４０、４０を塗布した矩形板２０Ａ、２０Ａに相当する。
【００１７】
　横方向矩形板３０は、図４及び図５に示すような矩形薄板３１の折り曲げ、重ね合わせ、固着によって形成される。
　矩形薄板３１は、透明なプラスチック薄板の打ち抜きによって矩形状に形成されるとともに、中央部に縦方向（図４では上下方向）の中心線に沿って切込形成用長孔３２が形成されている。
　また、矩形薄板３１には、横方向（図４では左右方向）の中心線に沿って重合用折目線３３が形成されるとともに、端縁近くに位置して重合用折目線３３に平行な虫受片形成用折目線３４、３４が形成されている。
　矩形薄板３１の表面には、図４（ａ）及び図５に示すように縦方向と横方向の中央線で区分された４領域のそれぞれに粘着剤４０が塗布されるとともに、粘着剤４０の塗布領域を外した中心点付近であって中心点に対して点対称の位置に係止孔４５〜４５が形成され、粘着剤４０の上面には粘着剤４０を被覆する剥離紙３５が貼着されている。
　矩形薄板３１の裏面には、図４（ｂ）及び図５に示すように重ね合わせ時に固着するための接着剤３６、３６が塗布され、これらの接着剤３６、３６の上面には接着剤３６、３６を被覆する剥離紙３７、３７が貼着されている。
【００１８】
　そして、矩形薄板３１の裏面側が内側となるように、矩形薄板３１を重合用折目線３３で折り曲げ、剥離紙３７、３７を剥離して重ね合わせ、接着剤３６、３６を対応する被接着部に接着する。
　ついで、矩形薄板３１の表面側が内側となるように矩形薄板３１の端部を虫受片形成用折目線３４、３４で略直角に折り曲げ、この折曲片を虫受片３８、３８とし、図６の下部に示すような横方向矩形板３０が形成される。この図６において、横方向矩形板３０の切込３９を挟んだ両側が、表面に粘着剤４０、４０を塗布した矩形板３０Ａ、３０Ａに相当し、この切込３９は矩形薄板３１の重ね合わせによって切込形成用長孔３２で形成されたものである。
【００１９】
　図６において、縦方向矩形板２０の剥離紙２７Ｂ〜２７Ｂを剥離して接着剤２６Ｂ〜２６Ｂを露出させ、縦方向矩形板２０を矢印方向に動かし、その切込２２を横方向矩形板３０の切込３９に係合、係止することによって、接着剤２６Ｂ〜２６Ｂを横方向矩形板３０の虫受片３８、３８の対応する被接着部に固定する。そして、剥離紙２５〜２５、剥離紙３５〜３５を剥離し、粘着剤４０〜４０を露出させ、図１に示すような虫取器が形成される。
【００２０】
　吊下具５０は、図１に示すように、連結線材５１とフック５２、５２からなっている。
　連結線材５１は折り曲げ可能な剛性の線材（例えば針金）で形成されている。連結線材５１はその略中央部が横方向矩形板３０の係止孔４５、４５に挿通し位置調整されて係止され、その両端部にはフック５２、５２の係止部５４、５４に係合、係止する鉤部５３、５３が形成され、フック５２、５２の取付部５５、５５は接着剤によって照明器具６０の照明カバー６１の内壁面に固着されている。図１において、６２は蛍光灯である。
【００２１】
　つぎに、図１の実施例の作用について説明する。
　図１において、蛍光灯６２の光に誘引されて照明器具６０の周囲を飛び回る虫は、縦方向矩形板２０、横方向矩形板３０の表面に塗布した粘着剤４０〜４０に粘着して捕獲される。
　縦方向矩形板２０、横方向矩形板３０は切込２２と切込３９の係合、係止によって照明器具６０側から見た平面視が十文字形状となるように配設されるとともに、その板面が垂直に配置されているので、照明器具６０の周囲に飛び回る虫を効率よく捕獲することができるとともに、風であおられて照明器具６０に貼着するおそれを少なくすることができる。
　捕獲された虫が重力で垂れ下がってきても、虫受片２８、虫受片３８で受け止めてテーブル、床、畳などの上に落下するのを防止できる。
　また、縦方向矩形板２０、横方向矩形板３０が透明プラスチック板で形成され、粘着剤４０〜４０が虫の集まり易い白色系明色で形成されているので、虫の捕獲効率を高めるとともに蛍光灯６２から出る光の吸収を抑えて所定の明るさを確保できる。
【００２２】
　図１の実施例では、吊下具５０を連結線材５１とフック５２、５２で形成した場合について説明したが、本考案はこれに限るものでなく、係止孔４５への係止によって虫取器を照明器具６０の下に吊り下げるものであればよい。
　例えば、図７に示すように、吊下具５０を２本の連結線材５６、５６と吸着盤５７、５７で形成した場合についても利用できる。この場合、連結線材５６、５６の両端部に鉤部５８，５８、５８，５８を形成し、一方の鉤部５８、５８を係止孔４５、４５に係止し、他方の鉤部５８、５８を吸着盤５７、５７の係止部５９、５９に係止する。そして吸着盤５７、５７の取付部を照明カバー６１の内壁面に吸着、固定することによって、虫取器を照明器具６０の下に吊り下げる。
【００２３】
　図１の実施例では、虫取器の製作を容易とするために、矩形薄板２１と矩形薄板３１を折り曲げ、重ね合わせ、接着することによって縦方向矩形板２０と横方向矩形板３０を形成し、この縦方向矩形板２０の切込２２と横方向矩形板３０の切込３９を係合、係止することによって十文字体１０を形成した場合について説明したが本考案はこれに限るものでなく、十文字体１０が、照明器具６０側から見た平面視が十文字形状となるように配設された４枚の透明な矩形板を有するものについて利用することができる。
　例えば透明プラスチック板の打ち抜き加工によって切込を有する縦方向矩形板と横方向矩形板を形成し、これらの切込を係合、係止することによって縦方向矩形板と横方向矩形板を一体化し、十文字体１０を形成した場合についても利用することができる。　
【実施例２】
【００２４】
　図８は、本考案による照明器具用虫取器の第２実施例を示すものである。
　図８において、７０は透明なプラスチックで成形された矩形板受体、８０〜８０は矩形板受体７０に係脱可能に係合する４枚の矩形板で、この矩形板受体７０と矩形板８０〜８０は十文字体１０を形成している。
【００２５】
　矩形板受体７０は、図９にも示すように、照明器具６０に吊り下げられたときに、照明器具６０側から見た平面視が十文字形状となるように連結された４本の長尺状の水平受体７１〜７１と、これらの水平受体７１〜７１の連結部から上方へ一体に連設された長尺状の垂直受体７２とで形成されている。
　４本の水平受体７１〜７１は、縦断面が凸形状に形成され、その垂直突部の上面には水平係合溝７３〜７３が形成され、その両側に位置する水平突部が虫受片７４〜７４となっている。
　垂直受体７２は、横断面が十文字形状になるように形成され、各突部の上面には垂直係合溝７５〜７５が形成され、各垂直係合溝７５は対応する水平係合溝７３に連通している。垂直受体７２の上部には、吊下用の係止孔７６〜７６が形成されている。　
【００２６】
　各矩形板８０の表面に白色系明色の粘着剤７７が塗布され、この粘着剤７７の上面には剥離紙７８が貼着されている。　
　粘着剤７７は、矩形板８０の表面のうち、矩形板受体７０の対応する水平係合溝７３及び垂直係合溝７５に係合する部分を除いた領域に塗布されている。　
【００２７】
　図８に示すように形成された虫取器は、図１、図７に示す実施例と同様に、係止孔７６〜７６に連結線材５１（又は５６，５６）を係止することによって照明器具６０の下に吊り下げられ、図１、図７の実施例と同様の効果を有するとともに、適宜矩形板８０〜８０を取り替えることができる。
【００２８】
　前記実施例では、照明器具が汎用の蛍光灯照明器具で、吊下具が連結線材とフック（又は吸着盤）で形成された場合について説明したが、本考案はこれに限るものでない。
　例えば、照明器具がシャンデリアで、吊下具が両端に鉤部が形成された連結線材で、一方の鉤部を虫取器の係止孔に係止し、他方の鉤部を直接シャンデリアの枝部（中央部から周囲の多くの電灯へ連結する枝部）に係合、係止するようにした場合についても利用することができる。
【図面の簡単な説明】
【００２９】
【図１】本考案による照明器具用虫取器の第１実施例を示す斜視図である。
【図２】図１中の縦方向矩形板２０を形成するための矩形薄板２１を示すもので、（ａ）は表面図、（ｂ）は裏面図である。
【図３】図２（ｂ）の断面図を示すとともに図示の便宜上一部の厚さを誇張して示すもので、（ａ）はＡ−Ａ線拡大断面図、（ｂ）はＢ−Ｂ線拡大断面図である。
【図４】図１中の横方向矩形板３０を形成するための矩形薄板３１を示すもので、（ａ）は表面図、（ｂ）は裏面図である。
【図５】図４（ａ）の断面を示すとともに、図示の便宜上一部の厚さを誇張して示すもので、（ａ）はＡ−Ａ線拡大断面図、（ｂ）はＢ−Ｂ線拡大断面図である。
【図６】図１中の縦方向矩形板２０と横方向矩形板３０を係合、係止する状態を示す説明図である。
【図７】図１の実施例において吊下部の変形例を示すもので、一部を断面で表した正面図である。
【図８】本考案による照明器具用虫取器の第２実施例を示す斜視図である。
【図９】図８の虫取器の製作過程（又は矩形状８０の取替過程）を示す説明図である。
【図１０】従来例を示すもので、一部を拡大して表した断面図である。
【図１１】一部の図示を省略した、図１０の側面図である。
【符号の説明】
【００３０】
　１０…十文字体
　２０…縦方向矩形板
　２０Ａ、３０Ａ、８０…矩形板
　２１、３１…矩形薄板
　２２、３９…切込
　２３、３３…重合用折目線（中心線の一例）
　２４、２４…虫受片形成用折目線
　２８、３８、７４…虫受片
　３２…切込形成用長孔
　４５、７６…係止孔
　５０…吊下具
　５１、５６…連結線材
　５２…フック
　５３…鉤部
　６０…照明器具
　６１…照明カバー
　６２…蛍光灯
【図１】
0003100177.tif 000003
【図２】
0003100177.tif 000004
【図３】
0003100177.tif 000005
【図４】
0003100177.tif 000006
【図５】
0003100177.tif 000007
【図６】
0003100177.tif 000008
【図７】
0003100177.tif 000009
【図８】
0003100177.tif 000010
【図９】
0003100177.tif 000011
【図１０】
0003100177.tif 000012
【図１１】
0003100177.tif 000013